(57)【要約】【課題】ハンディモップが保管可能であり、ハンディモップに付着しているゴミやホコリを充分に除去することもできるハンディモップ収納ケースを提供する。【解決手段】上部及び下部に開口部３，４を有する筒状の容器体２と、一方に開口部を有するコップ形状の蓋体５とを備え、蓋体５が容器体２の下部の開口部４に着脱自在となっており、容器体２は、上部の開口部３を介して、ハンディモップ２１の柄２２に挿着されたモップ用払拭布部２３を上下方向に挿脱自在に収容することが可能であり、モップ用払拭布部２３が挿入されるとすぼまるサイズであるとともに、上部寄り位置にゴミ刮ぎ部１１が設けられており、ゴミ刮ぎ部１１は、該ゴミ刮ぎ部１１と接触状態にあるモップ用払拭布部２３が上下に動かされると、モップ用払拭布部２３に付着しているゴミやホコリ２４が刮ぎ落とされて蓋体５内に収容されるように構成されている。【選択図】図１
2013042850.tif 000002
【特許請求の範囲】
【請求項１】
上部及び下部に開口部を有する筒状の容器体と、
一方に開口部を有するコップ形状の蓋体とを備え、
前記蓋体が前記容器体の下部の開口部に着脱自在となっており、
前記容器体は、上部の開口部を介して、ハンディモップの柄に挿着されたモップ用払拭布部を上下方向に挿脱自在に収容することが可能であり、前記モップ用払拭布部が挿入されるとすぼまるサイズであるとともに、上部寄り位置にゴミ刮ぎ部が設けられており、
前記ゴミ刮ぎ部は、該ゴミ刮ぎ部と接触状態にある前記モップ用払拭布部が上下に動かされると、前記モップ用払拭布部に付着しているゴミやホコリが刮ぎ落とされて前記蓋体内に収容されるように構成されていることを特徴とするハンディモップ収納ケース。
【請求項２】
前記ゴミ刮ぎ部は、ジャバラ状になっていることを特徴とする請求項１に記載のハンディモップ収納ケース。
【請求項３】
上部に開口部を有し、該開口部を介して、ハンディモップの柄に挿着されたモップ用払拭布部を上下方向に挿脱自在に収容し得る筒状の容器体からなり、
前記容器体は、前記モップ用払拭布部が挿入されるとすぼまるサイズであるとともに、上部寄り位置にゴミ刮ぎ部が設けられており、
前記ゴミ刮ぎ部は、該ゴミ刮ぎ部と接触状態にある前記モップ用払拭布部が上下に動かされると、前記モップ用払拭布部に付着しているゴミやホコリが刮ぎ落とされるように構成されていることを特徴とするハンディモップ収納ケース。
【請求項４】
前記ゴミ刮ぎ部は、ジャバラ状になっていることを特徴とする請求項３に記載のハンディモップ収納ケース。
【発明の詳細な説明】
【技術分野】
【０００１】
本発明は、ハンディモップが保管できるとともに、ハンディモップに付着しているゴミやホコリを充分に除去することができるようにしたハンディモップ収納ケースに関する。
【背景技術】
【０００２】
この種のハンディモップ収納ケースとして、従来、図６に示す技術が知られている（例えば、特許文献１を参照。）。このハンディモップの保管容器１００は、拭き取り地１０２を装着する略平坦形状の保持具１０３と、ハンドル１０４からなるハンディモップ１０１のハンドル１０４を外部に出して挿脱自在に収容する収容部１１０を構成し、収容部１１０に隣接して取り替え用拭き取り地１０２を収容するポケット部１１１を設け、収容部１１０とポケット部１１１により容器本体１０７を形成し、さらに容器本体１０７の下部に卓上に載置するための載置部１０９を形成している
【０００３】
このハンディモップの保管容器１００によれば、収容部１１０にハンディモップ１０１のハンドル１０４を外部に出して挿脱自在に収容しているので、必要なときにハンディモップ１０１を直ぐに取り出して掃除できるとともに、ハンディモップ１０１の収容部１１０に隣接して取り替え用拭き取り地１０２を収容するポケット部１１１を設けているので、ハンディモップを取り替え用拭き取り地と一緒に保管でき、必要なときに直ぐに取り替え用拭き取り地１０２を取り出して交換できる。
【先行技術文献】
【特許文献】
【０００４】
【特許文献１】登録実用新案第３０３８９７１号
【発明の概要】
【発明が解決しようとする課題】
【０００５】
しかしながら、従来のハンディモップの保管容器１００は、ハンディモップ１０１を取り替え用拭き取り地と一緒に保管できるものの、ハンディモップ１０１の拭き取り地１０２に付着したゴミやホコリを除去することができなかった。
【０００６】
そこで、この発明が解決しようとする課題は、ハンディモップが保管可能であり、ハンディモップに付着しているゴミやホコリを充分に除去することもできるハンディモップ収納ケースを提供することである。
【課題を解決するための手段】
【０００７】
この発明は、前記課題を解決するためになされたもので、請求項１に記載のハンディモップ収納ケースは、上部及び下部に開口部を有する筒状の容器体と、一方に開口部を有するコップ形状の蓋体とを備え、前記蓋体が前記容器体の下部の開口部に着脱自在となっており、前記容器体は、上部の開口部を介して、ハンディモップの柄に挿着されたモップ用払拭布部を上下方向に挿脱自在に収容することが可能であり、前記モップ用払拭布部が挿入されるとすぼまるサイズであるとともに、上部寄り位置にゴミ刮ぎ部が設けられており、前記ゴミ刮ぎ部は、該ゴミ刮ぎ部と接触状態にある前記モップ用払拭布部が上下に動かされると、前記モップ用払拭布部に付着しているゴミやホコリが刮ぎ落とされて前記蓋体内に収容されるように構成されていることを特徴としている。
【０００８】
請求項１に記載のハンディモップ収納ケースによれば、蓋体を下部の開口部に取り付けた状態で上部に開口部を有する筒状の容器体が形成され、ハンディモップの柄に挿着されたモップ用払拭布部を上下方向に挿脱自在に収容することができるように構成されているので、ユーザは、ハンディモップの柄を持って、モップ用払拭布部を上部の開口部から容器体に収容させることでハンディモップを収納することができる。
【０００９】
また、請求項１に記載のハンディモップ収納ケースによれば、容器体の上部寄り位置にゴミ刮ぎ部が設けられており、ゴミ刮ぎ部と接触状態にあるモップ用払拭布部が上下に動かされると、モップ用払拭布部に付着しているゴミやホコリが刮ぎ落とされるので、ユーザは、モップ用払拭布部を容器体に収容させて、ハンディモップの柄を持って上下運動するだけでハンディモップに付着しているゴミやホコリを充分に除去することができる。
【００１０】
加えて、請求項１に記載のハンディモップ収納ケースによれば、一方に開口部を有するコップ形状の蓋体が容器体の下部の開口部に着脱自在となっているので、ユーザは、蓋体を容器体の下部の開口部に取り付けた状態でモップ用払拭布部に付着しているゴミやホコリを刮ぎ落として蓋体内に収容し、蓋体内にゴミやホコリを残したまま蓋体を取り外し、収容したゴミやホコリを廃棄することができる。
【００１１】
請求項２に記載のハンディモップ収納ケースは、請求項１において、前記ゴミ刮ぎ部は、ジャバラ状になっていることを特徴としている。
【００１２】
請求項２に記載のハンディモップ収納ケースによれば、請求項１の効果に加えて、ゴミ刮ぎ部がジャバラ状になっており、屈曲可能で伸縮自在でもあるため、様々な形状や大きさのハンディモップに対して、モップ用払拭布部に付着しているゴミ等の除去やモップ自体の収納も可能である。
【００１３】
請求項３に記載のハンディモップ収納ケースは、上部に開口部を有し、該開口部を介して、ハンディモップの柄に挿着されたモップ用払拭布部を上下方向に挿脱自在に収容し得る筒状の容器体からなり、前記容器体は、前記モップ用払拭布部が挿入されるとすぼまるサイズであるとともに、上部寄り位置にゴミ刮ぎ部が設けられており、前記ゴミ刮ぎ部は、該ゴミ刮ぎ部と接触状態にある前記モップ用払拭布部が上下に動かされると、前記モップ用払拭布部に付着しているゴミやホコリが刮ぎ落とされるように構成されていることを特徴としている。
【００１４】
請求項３に記載のハンディモップ収納ケースによれば、上部に開口部を有する筒状の容器体が形成され、ハンディモップの柄に挿着されたモップ用払拭布部を上下方向に挿脱自在に収容することができるように構成されているので、ユーザは、ハンディモップの柄を持って、モップ用払拭布部を上部の開口部から容器体に収容させることでハンディモップを収納することができる。
【００１５】
また、請求項３に記載のハンディモップ収納ケースによれば、容器体の上部寄り位置にゴミ刮ぎ部が設けられており、ゴミ刮ぎ部と接触状態にあるモップ用払拭布部が上下に動かされると、モップ用払拭布部に付着しているゴミやホコリが刮ぎ落とされるので、ユーザは、モップ用払拭布部を容器体に収容させて、ハンディモップの柄を持って上下運動するだけでハンディモップに付着しているゴミやホコリを充分に除去することができる。
【００１６】
請求項４の発明に係るハンディモップ収納ケースは、請求項３において、前記ゴミ刮ぎ部は、ジャバラ状になっていることを特徴としている。
【００１７】
請求項４に記載のハンディモップ収納ケースによれば、請求項３の効果に加えて、ゴミ刮ぎ部がジャバラ状になっており、屈曲可能で伸縮自在でもあるため、様々な形状や大きさのハンディモップに対して、モップ用払拭布部に付着しているゴミ等の除去やモップ自体の収納も可能である。
【発明の効果】
【００１８】
本発明によれば、ハンディモップが保管可能であり、ハンディモップに付着しているゴミやホコリを充分に除去することもできるハンディモップ収納ケースを提供することができる。
【図面の簡単な説明】
【００１９】
【図１】本発明の第１実施例に係るハンディモップ収納ケースの断面図であって、ジャバラ状のゴミ刮ぎ部を伸長させた状態を示す図である。
【図２】本発明の第１実施例に係るハンディモップ収納ケースの断面図であって、ジャバラ状のゴミ刮ぎ部を縮小させた状態を示す図である。
【図３】本発明の第１実施例に係るハンディモップ収納ケースの正面図であって、ジャバラ状のゴミ刮ぎ部を屈曲させた状態を示す図である。
【図４】本発明の第２実施例に係るハンディモップ収納ケースの断面図であって、ジャバラ状のゴミ刮ぎ部を伸長させた状態を示す図である。
【図５】本発明の第１実施例に係るハンディモップ収納ケースの使用方法の説明に供する図である。
【図６】従来のハンディモップの保管容器を示す図である。
【発明を実施するための形態】
【００２０】
以下、本発明を適用した具体的な実施の形態について、図面を参照しながら詳細に説明
する。本発明は、例えば、図１乃至図３に示すような構成のハンディモップ収納ケース１、又は、図４に示すような構成のハンディモップ収納ケース５１に適用される。
【実施例１】
【００２１】
１．ハンディモップ収納ケース１
このハンディモップ収納ケース１は、上部の開口部３及び下部の開口部４を有する筒状の容器体２と、容器体２の下部の開口部４に着脱自在に取り付けられる一方に開口部を有するコップ形状の蓋体５とを主要部として備えている。
【００２２】
容器体２の上部寄り位置（開口部３の近傍）には、ジャバラ状のゴミ刮ぎ部１１が形成されている。なお、この実施形態では、容器体２は、開口部３，開口部４及びゴミ刮ぎ部１１を連続させた状態で合成樹脂により一体成形（ブロー成形）している。
【００２３】
上部の開口部３及び容器体２は、ハンディモップ２１の柄２２に挿着されたモップ用払拭布部２３を上下方向に挿脱自在に収容することが可能であり、モップ用払拭布部２３が挿入されるとすぼまり、モップ用払拭布部２３とゴミ刮ぎ部１１とが常に接触状態になるサイズに形成されている。すなわち、このハンディモップ収納ケース１のサイズは、特に限定するものではないが、容器体２部分の外径が６５ｍｍ、ゴミ刮ぎ部１１の縮小状態（図２の状態）での全高が１２０ｍｍ程度に形成することができる。
【００２４】
蓋体５は、容器体２の開口部４に対して着脱自在に螺合（符号６）されており、ゴミ刮ぎ部１１で刮ぎ落とされたゴミやホコリ２４を収容し得るようになっている。
【００２５】
ゴミ刮ぎ部１１は、この実施形態では、ジャバラを形成しており、ヒダ数を５つ設けている。このジャバラを全伸長させると、図２に示す縮小状態から図１に示す例えば４０ｍｍ程度だけ伸長させることができる。また、このゴミ刮ぎ部１１は、図３に示すように屈曲させると、上部の開口部３を容器体２の軸線に対して例えば４０°〜６０°程度だけ傾動させることができるようになっている。
【００２６】
ゴミ刮ぎ部１１は、ジャバラに限定されるものではなく、例えば、容器体２の上部寄り位置の内面に起立させた複数の羽部材を設けてもよい。複数の羽部材を設けることで、モップ用払拭布部２３を出し入れする際に複数の羽部材がモップの繊毛の間まで侵入することで付着しているゴミやホコリ２４を掻き落とすことができる。
【００２７】
続いて、このハンディモップ収納ケース１の作用及び使用方法を説明する。先ず、ユーザは、図５に示すように、ハンディモップ２１の柄２２を持って、モップ用払拭布部２３の先から容器体２の上部の開口部３に挿入する。モップ用払拭布部２３は、容器体２に挿入されるとすぼまり、モップ用払拭布部２３とゴミ刮ぎ部１１とが常に接触状態になる。
【００２８】
この接触状態にあるとき、ユーザが、ハンディモップ２１の柄２２を上下方向に往復運動すると、モップ用払拭布部２３も上下方向に往復運動するので、モップ用払拭布部２３に付着しているゴミやホコリ２４が、ゴミ刮ぎ部１１によって刮ぎ落とされて蓋体５内に収容される。
【００２９】
蓋体５内にゴミやホコリ２４が溜まったら、ユーザは、開口部４への螺合を解いて容器体２から蓋体５を取り外し、蓋体５内に収容されているゴミやホコリ２４を廃棄し、再び、空の蓋体５を開口部４に螺合して容器体２に取り付ける。
【００３０】
ハンディモップ２１を保管する際には、ユーザは、蓋体５を容器体２に取り付けた状態で、ハンディモップ２１の柄２２を持って、容器体２の上部の開口部３からモップ用払拭布部２３の先が蓋体５の底面に当たるまで挿入する。モップ用払拭布部２３の先が蓋体５の底面に当たった状態にあるとき、ハンディモップ収納ケース１は倒れず起立した安定状態を保つので、その起立した安定状態で保管場所にハンディモップ収納ケース１を載置する。
【実施例２】
【００３１】
２．ハンディモップ収納ケース５１
このハンディモップ収納ケース５１は、図４に示すように、上部に開口部５３を有する筒状の容器体５２と、容器体５２の上部寄り位置（開口部５３の近傍）に形成されたジャバラ状のゴミ刮ぎ部６１とを主要部として備えている。このハンディモップ収納ケース５１と前述のハンディモップ収納ケース１との違いは、容器体２，５２の下部に蓋体５を着脱自在に取り付けることができるか否かである。
【００３２】
すなわち、ハンディモップ収納ケース５１は、容器体５２の下部に蓋体５を備えていないが、それ以外の構成はハンディモップ収納ケース１と同様であるため、詳細な説明は省略する。なお、ハンディモップ収納ケース５１の実施形態の場合、容器体２の下部に収容されたゴミやホコリ２４は、容器体２の上下を反転させて、容器体２の上部の開口部５３を介して廃棄することになる。
【００３３】
このように、本発明の第１，第２実施例に係るハンディモップ収納ケース１，５１によれば、ハンディモップ２１の柄２２を持って、モップ用払拭布部２３を上部の開口部３から容器体２に収容させることでハンディモップ２１を収納することができる。
【００３４】
また、本発明の第１，第２実施例に係るハンディモップ収納ケース１，５１によれば、容器体２の上部寄り位置にゴミ刮ぎ部１１が設けられており、ゴミ刮ぎ部１１と接触状態にあるモップ用払拭布部２３が上下に動かされると、モップ用払拭布部２３に付着しているゴミやホコリ２４が刮ぎ落とされるので、ユーザは、モップ用払拭布部２３を容器体２に収容させて、ハンディモップ２１の柄２２を持って上下運動するだけでハンディモップに付着しているゴミやホコリ２４を充分に除去することができる。
【００３５】
加えて、本発明の第１実施例に係るハンディモップ収納ケース１によれば、一方に開口部を有するコップ形状の蓋体５が容器体２の下部の開口部４に着脱自在となっているので、ユーザは、蓋体５を容器体２の下部の開口部４に取り付けた状態でモップ用払拭布部２３に付着しているゴミやホコリ２４を刮ぎ落として蓋体５内に収容し、蓋体５内にゴミやホコリ２４を残したまま蓋体５を取り外し、収容したゴミやホコリ２４を廃棄することができる。
【００３６】
なお、本発明は前述した実施の形態のみに限定されるものではなく、本発明の要旨を逸脱しない範囲において種々の変更が可能であることは勿論である。
【符号の説明】
【００３７】
１，５１    ハンディモップ収納ケース
２，５２    容器体
３，５３    開口部
４          開口部
５          蓋体
６          螺合部
１１，６１  ゴミ刮ぎ部
２１        ハンディモップ
２２        柄
２３        モップ用払拭布部
２４        ゴミやホコリ
１００      従来のハンディモップの保管容器
１０１      ハンディモップ
１０２      拭き取り地
１０３      保持具
１０４      ハンドル
１０７      容器本体
１０８      中仕切
１０９      載置部
１１０      収容部
１１１      ポケット部
【図１】
2013042850.tif 000003
【図２】
2013042850.tif 000004
【図３】
2013042850.tif 000005
【図４】
2013042850.tif 000006
【図５】
2013042850.tif 000007
【図６】
2013042850.tif 000008